(57)【特許請求の範囲】
【請求項１】
第１の機種に対応した回路が実装される第１回路基板、又は第２の機種に対応した回路が実装される第２回路基板が選択的に設置される基板設置領域を有し、第１回路基板又は第２回路基板に実装される複数のコネクタを露出させるコネクタ用開口が前面側及び背面側にそれぞれ形成された機器本体を具備する電子機器であって、
上記第１回路基板は、平面視が略長方形であり、第１の機種及び第２の機種に共通する共通機能を実現する共通回路が配置される共通領域と、第１の機種のみが有する選択機能を実現する回路が配置される選択領域とが配置され、第１の機種及び第２の機種に共通して設けられる共通コネクタが上記機器本体前面側及び背面側の各コネクタ用開口にそれぞれ合致するように実装され、さらに第１の機種のみに設けられる選択コネクタが上記コネクタ用開口に合致するように実装されたものであり、
上記第２回路基板は、平面視が略長方形であり、上記共通回路を有しており、上記共通コネクタが上記機器本体前面側及び背面側の各コネクタ用開口にそれぞれ合致するように実装されたものであり、
上記第１回路基板及び上記第２回路基板の上記各共通回路は、原稿の画像読み取りを実現する画像読取回路を含む複数の回路を有しており、上記各共通回路の複数の回路うち、少なくとも上記画像読取回路を含む一部の回路のみ、上記基板設置領域への設置状態において互いに重なる位置にそれぞれ設けられたものである電子機器。
【請求項２】
上記機器本体は、
被記録媒体への画像記録を行い、上記基板設置領域が設けられたプリンタ部と、
上記プリンタ部の上に載置され、且つ上記画像読取回路と第１ケーブルにより電気的に接続されており、原稿の画像を読み取るスキャナ部と、を備えており、
上記プリンタ部は、上記第１ケーブルを収容する収容部を有するものである請求項１に記載の電子機器。
【請求項３】
上記基板設置領域は、上記第１回路基板、上記第２回路基板、及び第３機種用の第３回路基板を、実装面が水平面へ倒伏する姿勢においてそれぞれ設置可能に設けられており、
上記機器本体の前面側に設けられた上記コネクタ用開口は、上記機器本体の幅方向の一端側に配置されており、
上記機器本体の背面側に設けられた上記コネクタ用開口は、上記幅方向の他端側に配置されており、
上記第３回路基板は、上記共通回路及び背面側となる上記コネクタが設けられた回路基板本体と、前面側となる上記共通コネクタが実装された分割回路基板と、上記回路基板本体及び上記分割回路基板を電気的に接続する第２ケーブルと、を備えており、
上記回路基板本体は、上記基板設置領域に設置した状態において、上記共通回路の複数の回路のうち、少なくとも上記画像読取回路を含む一部の回路のみが上記第１回路基板及び上記第２回路基板の上記画像読取回路を含む一部の回路と重なる位置に設けられたものであり、
上記分割回路基板は、上記回路基板本体から上記幅方向へ離間されて配置されており、上記分割回路基板に実装された上記共通コネクタが上記機器本体の前面側の上記コネクタ用開口から露出されるものである請求項１又は２に記載の電子機器。
【請求項４】
上記基板設置領域は、上記第１回路基板、上記第２回路基板、及び第３機種用の第３回路基板を、実装面が水平面に対して起立する姿勢においてそれぞれ設置可能に設けられており、
上記機器本体の前面側に設けられた上記コネクタ用開口は、上下方向における上記機器本体の一端側に配置されており、
上記機器本体の背面側に設けられた上記コネクタ用開口は、上下方向における上記機器本体の他端側に配置されており、
上記第３回路基板は、上記共通回路及び背面側となる上記共通コネクタが設けられた回路基板本体と、前面側となる上記共通コネクタが実装された分割回路基板と、上記回路基板本体及び上記分割回路基板を電気的に接続する第２ケーブルと、を備えており、
上記回路基板本体は、上記基板設置領域に設置した状態において、上記共通回路の複数の回路のうち、少なくとも上記画像読取回路を含む一部の回路のみが上記第１回路基板及び上記第２回路基板の上記画像読取回路を含む一部の回路と重なる位置に設けられたものであり、
上記分割回路基板は、上記回路基板本体から上下方向へ離間されて配置されており、上記分割回路基板に実装された上記共通コネクタが上記機器本体の前面側の上記コネクタ用開口から露出されるものである請求項１又は２に記載の電子機器。
【請求項５】
上記共通コネクタは、外部装置とデータ通信を行うためのものであって、同一の通信規格のものである請求項１から４のいずれかに記載の電子機器。
【請求項６】
上記機器本体前面側に設けられる共通コネクタは、ＵＳＢホストとして機能する外部装置が接続される第１ＵＳＢコネクタであり、
上記機器本体背面側に設けられる共通コネクタは、ＵＳＢデバイスとして機能する外部装置が接続される第２ＵＳＢコネクタである請求項５に記載の電子機器。
【請求項７】
上記選択コネクタは、ＬＡＮケーブルが接続されるＬＡＮコネクタである請求項１から６のいずれかに記載の電子機器。
【請求項８】
上記第１回路基板及び上記第２回路基板は、上記機器本体の前面に対応した位置に、カード型メモリが装填されるカードスロットが実装されたものである請求項１から７のいずれかに記載の電子機器。
【請求項９】
上記機器本体は、被記録媒体を保持する媒体保持部を収容して被記録媒体への画像記録を行うプリンタ部を具備し、
上記機器本体前面側のコネクタ用開口は、上記媒体保持部より上側であって該媒体保持部の両縁より外側に形成されたものである請求項１から８のいずれかに記載の電子機器。
【請求項１０】
上記媒体保持部は、上記プリンタ部に対して着脱可能なものである請求項９に記載の電子機器。
【請求項１１】
第１の機種用の第１回路基板及び第３の機種用の第３回路基板が設置される基板設置領域を有し、上記第１回路基板及び第２回路基板に実装される複数のコネクタを露出させるコネクタ用開口が前面側及び背面側にそれぞれ形成された機器本体を具備する電子機器の製造方法であって、
上記基板設置領域に設置された際に機器本体前面側となる一部領域が分割可能となるように、平面視が略長方形の上記第３回路基板を作製する第１工程と、
一対の共通コネクタの一方を上記一部領域に実装するとともに他方を上記第３回路基板における上記機器本体背面側の縁部に実装し、第１の機種のみに設けられる選択コネクタを上記コネクタ用開口に合致する位置に実装する第２工程と、
上記一部領域を上記回路基板本体から分割させて分割回路基板とするとともに、回路基板本体と分割回路基板とを第２ケーブルを介して通信可能に接続する第３工程と、
上記回路基板本体に実装された共通コネクタ及び選択コネクタが上記各コネクタ用開口に合致するように、上記回路基板本体を上記基板設置領域に設置するとともに、上記分割回路基板をその共通コネクタが上記機器本体前面側のコネクタ用開口に合致するように上記基板設置領域に設置する第４工程と、を有しており、
上記第２工程において、原稿の画像読み取りを実現する画像読取回路を含む複数の回路を有する共通回路が上記第１回路基板及び上記第３回路基板にそれぞれ設けられ、上記共通回路の複数の回路のうち、少なくとも上記画像読取回路を含む一部の回路のみ、上記基板設置領域への設置状態において互いに重なる位置にそれぞれ設けられる電子機器の製造方法。
【発明の詳細な説明】
【技術分野】
【０００１】
本発明は、回路基板に実装された複数のコネクタを機器の外側へ露出させるコネクタ用開口が形成された電子機器、及び、電子機器の製造方法に関する。
【背景技術】
【０００２】
従来より、例えば複合機と称されるスキャナ機能やプリンタ機能を有する電子機器において、設置されている１枚の回路基板に複数のコネクタが実装されているものが知られている（例えば、特許文献１参照）。図２３は、特許文献１に開示された電子機器に設置されている回路基板２０１を示す概略図である。
【０００３】
図２３に示されるように、回路基板２０１には、２つのＵＳＢコネクタ２０２，２０３が実装されている。ＵＳＢコネクタ２０２は、機器のケースに形成された開口部２０４により電子機器の前面側に露出されており、ＵＳＢケーブルを介して外部メモリ機器が接続されるようになっている。ＵＳＢコネクタ２０３は、機器本体の内部に形成された開口部２０５により機器内部に露出されており、ＵＳＢケーブルを介してパーソナルコンピュータが接続されるようになっている。ＵＳＢケーブル２０３を露出する開口部２０５から機器本体の後部にかけて溝部２０６が形成されており、この溝部２０６により電子機器の外部からＵＳＢコネクタ２０３へＵＳＢケーブルが案内されるようになっている。
【０００４】
【特許文献１】特開２００５−１１９０４５号公報
【発明の開示】
【発明が解決しようとする課題】
【０００５】
電子機器に搭載される回路基板２０１には、上記２つのＵＳＢコネクタ２０２，２０３の他に、種々の回路が実装されている。回路基板２０１には、機器全体の動作を制御するＣＰＵ２０７、リムーバブルメモリが接続されるメモリコネクタ２０８、メモリコネクタ２０８を制御するメモリコントローラ２０９が実装されている。このような回路基板が設置される電子機器を製造するメーカでは、ユーザのニーズに応えるために、例えば、ＵＳＢコネクタのみを備える電子機器を製造する一方で、さらにＬＡＮコネクタを備える電子機器を製造するというように、複数機種の電子機器が製造される。ある機種に対して、例えばＬＡＮに接続するためのＬＡＮコネクタや、機器本体との無線通信により電話通信機能を発揮する子機を追加した機種の電子機器を製造する場合、回路基板が増設される。すなわち、上記ある機種と共通する機能を実現するための回路が実装された回路基板に加えて、ＬＡＮコネクタが実装された回路基板及び無線通信用の回路基板が電子機器に設置される。そのため、ＵＳＢコネクタやＬＡＮコネクタを露出させるための開口を有するケースや回路基板を機種毎に製造しなければならない。しかし、複数機種の電子機器を製造する場合、コストを抑えてユーザに安価な機器を提供するというコストダウンの要請から、電子機器を構成する部品の共通化を図ることが望ましい。
【０００６】
また、コネクタ２０２，２０３を露出させるための開口部２０４，２０５は、ユーザにとって最も使い勝手がよいと思われる位置に形成させることが望ましい。さらに、ある機種の電子機器を使い慣れたユーザが、他機種の電子機器を操作することを考えると、開口部２０４，２０５は、複数の機種で統一されている方が使用し易く便利である。
【０００７】
本発明は、かかる問題に鑑みてなされたものであり、複数の機種のうちの一部の機種に設けられる選択コネクタの有無に関わらず、複数の機種に共通して設けられる共通コネクタのレイアウトを変更することなく、複数機種の回路基板を選択的に設置可能な電子機器を提供することを目的とする。
【０００８】
また、本発明は、複数の機種のうちの一部の機種に設けられる選択コネクタが追加された電子機器を製造する場合に、複数の機種に共通して設けられる共通コネクタのレイアウトを変更することなく製造可能な電子機器の製造方法を提供することを他の目的とする。
【課題を解決するための手段】
【０００９】
(1)  本発明に係る電子機器は、第１の機種に対応した回路が実装される第１回路基板、又は第２の機種に対応した回路が実装される第２回路基板が選択的に設置される基板設置領域を有し、第１回路基板又は第２回路基板に実装される複数のコネクタを露出させるコネクタ用開口が前面側及び背面側にそれぞれ形成された機器本体を具備する電子機器であって、上記第１回路基板は、平面視が略長方形であり、第１の機種及び第２の機種に共通する共通機能を実現する共通回路が配置される共通領域と、第１の機種のみが有する選択機能を実現する回路が配置される選択領域とが配置され、第１の機種及び第２の機種に共通して設けられる共通コネクタが上記機器本体前面側及び背面側の各コネクタ用開口にそれぞれ合致するように実装され、さらに第１の機種のみに設けられる選択コネクタが上記コネクタ用開口に合致するように実装されたものであり、上記第２回路基板は、平面視が略長方形であり、上記共通回路を有しており、上記共通コネクタが上記機器本体前面側及び背面側の各コネクタ用開口にそれぞれ合致するように実装されたものであり、上記第１回路基板及び上記第２回路基板の上記各共通回路は、原稿の画像読み取りを実現する画像読取回路を含む複数の回路を有しており、上記各共通回路の複数の回路のうち、少なくとも上記画像読取回路を含む一部の回路のみ、上記基板設置領域への設置状態において互いに重なる位置にそれぞれ設けられたものである。
【００１０】
電子機器の機器本体は、基板設置領域を有している。基板設置領域には、第１回路基板又は第２回路基板が選択的に設置される。第１回路基板は、第１の機種に対応したものである。第２回路基板は、第２の機種に対応したものである。機器本体には、コネクタ用開口が前面側及び背面側にそれぞれ形成されている。第１回路基板と第２回路基板には、それぞれ複数のコネクタが実装されている。第１回路基板が設置される場合、第１回路基板に実装された複数のコネクタは、コネクタ用開口を介して前面側及び背面側に露出される。第２回路基板が設置される場合、第２回路基板に実装された複数のコネクタは、コネクタ用開口を介して前面側及び背面側に露出される。
【００１１】
第１回路基板は、平面視が略長方形のものである。第１回路基板は、例えば機器本体の幅方向を長手方向として基板設置領域に設置される。第１回路基板には、共通領域と選択領域とが配置されている。共通領域には、第１の機種及び第２の機種に共通する共通機能を実現する回路が配置される。選択領域には、第１の機種のみが有する選択機能を実現する回路が配置される。第１回路基板は、第１の機種に対応するものであるため、共通機能及び選択機能を有する。第１回路基板には、共通コネクタと選択コネクタとが実装されている。共通コネクタは、第１の機種及び第２の機種に共通して設けられるものである。共通コネクタは、第１回路基板が基板設置領域に設置された状態で、機器本体前面側及び背面側の各コネクタ用開口にそれぞれ合致するように第１回路基板に実装されている。選択コネクタは、第１の機種のみに設けられるものである。選択コネクタは、第１回路基板が基板設置領域に設置された状態で、例えば機器本体背面側に形成されたコネクタ用開口に合致するように第１回路基板に実装されている。
【００１２】
第２回路基板は、平面視が略長方形のものである。第２回路基板は、例えば機器本体の幅方向を長手方向として基板設置領域に設置される。第２回路基板は、共通回路を有する。第２回路基板には、共通コネクタが実装されている。共通コネクタは、第２回路基板が基板設置領域に設置された状態で、機器本体前面側及び背面側の各コネクタ用開口にそれぞれ合致するように第２回路基板に実装されている。
【００１３】
第１回路基板又は第２回路基板のいずれの基板が基板設置領域に設置されたとしても、共通コネクタは、機器本体前面側及び背面側にそれぞれ形成されたコネクタ用開口に合致する。したがって、共通コネクタの配置位置を変更することなく、少なくとも２機種の回路基板を設置可能である。
【００１４】
(2)  上記機器本体は、被記録媒体への画像記録を行い、上記基板設置領域が設けられたプリンタ部と、上記プリンタ部の上に載置され、且つ上記画像読取回路と第１ケーブルにより電気的に接続されており、原稿の画像を読み取るスキャナ部と、を備えており、上記プリンタ部は、上記第１ケーブルを収容する収容部を有するものであってもよい。
【００１５】
(3)  上記基板設置領域は、上記第１回路基板、上記第２回路基板、及び第３機種用の第３回路基板を、実装面が水平面へ倒伏する姿勢においてそれぞれ設置可能に設けられており、上記機器本体の前面側に設けられた上記コネクタ用開口は、上記機器本体の幅方向の一端側に配置されており、上記機器本体の背面側に設けられた上記コネクタ用開口は、上記幅方向の他端側に配置されており、上記第３回路基板は、上記共通回路及び背面側となる上記コネクタが設けられた回路基板本体と、前面側となる上記共通コネクタが実装された分割回路基板と、上記回路基板本体及び上記分割回路基板を電気的に接続する第２ケーブルと、を備えており、上記回路基板本体は、上記基板設置領域に設置した状態において、上記共通回路の複数の回路のうち、少なくとも上記画像読取回路を含む一部の回路のみが上記第１回路基板及び上記第２回路基板の上記画像読取回路を含む一部の回路と重なる位置に設けられたものであり、上記分割回路基板は、上記回路基板本体から上記幅方向へ離間されて配置されており、上記分割回路基板に実装された上記共通コネクタが上記機器本体の前面側の上記コネクタ用開口から露出されるものであってもよい。
【００１６】
共通コネクタがより離れた位置に設置される。これにより、例えば共通コネクタが外部装置とデータ通信を行うものであり、同一通信規格のものである場合に、互いに干渉してノイズが発生することが防止される。
【００１７】
(4)  上記基板設置領域は、上記第１回路基板、上記第２回路基板、及び第３機種用の第３回路基板を、実装面が水平面に対して起立する姿勢においてそれぞれ設置可能に設けられており、上記機器本体の前面側に設けられた上記コネクタ用開口は、上下方向における上記機器本体の一端側に配置されており、上記機器本体の背面側に設けられた上記コネクタ用開口は、上下方向における上記機器本体の他端側に配置されており、上記第３回路基板は、上記共通回路及び背面側となる上記共通コネクタが設けられた回路基板本体と、前面側となる上記共通コネクタが実装された分割回路基板と、上記回路基板本体及び上記分割回路基板を電気的に接続する第２ケーブルと、を備えており、上記回路基板本体は、上記基板設置領域に設置した状態において、上記共通回路の複数の回路のうち、少なくとも上記画像読取回路を含む一部の回路のみが上記第１回路基板及び上記第２回路基板の上記画像読取回路を含む一部の回路と重なる位置に設けられたものであり、上記分割回路基板は、上記回路基板本体から上下方向へ離間されて配置されており、上記分割回路基板に実装された上記共通コネクタが上記機器本体の前面側の上記コネクタ用開口から露出されるものであってもよい。
【００１８】
共通コネクタがより離れた位置に設置される。これにより、例えば共通コネクタが外部装置とデータ通信を行うものであり、同一通信規格のものである場合に、互いに干渉してノイズが発生することが防止される。
【００１９】
(5)  上記共通コネクタは、外部装置とデータ通信を行うためのものであって、同一の通信規格のものであってもよい。共通コネクタは、コネクタ用開口に合致するように、第１回路基板上又は第２回路基板上の上記機器本体前面側及び背面側に実装されている。すなわち、共通コネクタは、第１回路基板又は第２回路基板上の離れた位置に実装されている。共通コネクタには、それぞれ外部装置が接続可能である。共通コネクタに外部装置が接続され、共通コネクタを介して外部装置との間でデータ通信が行われるが、前面側の共通コネクタを介したデータ通信と、背面側の共通コネクタを介したデータ通信とが同時に行われる場合もある。共通コネクタは第１回路基板又は第２回路基板上の離れた位置に実装されているので、互いに干渉してノイズが発生することが防止される。
【００２０】
(6)  上記機器本体前面側に設けられる共通コネクタは、ＵＳＢホストとして機能する外部装置が接続される第１ＵＳＢコネクタであり、上記機器本体背面側に設けられる共通コネクタは、ＵＳＢデバイスとして機能する外部装置が接続される第２ＵＳＢコネクタであってもよい。第１ＵＳＢコネクタには、電子機器に対してＵＳＢホストとして機能するデジタルカメラ等が接続される。第２ＵＳＢコネクタには、電子機器に対してＵＳＢデバイスとして機能するパーソナルコンピュータ等が接続される。第１ＵＳＢコネクタを介したＵＳＢホストとのデータ通信と、第２ＵＳＢコネクタを介したＵＳＢデバイスとのデータ通信とは、互いに干渉することなく同時に実行可能である。
【００２１】
(7)  上記選択コネクタは、ＬＡＮケーブルが接続されるＬＡＮコネクタであってもよい。例えば、機器本体背面側に形成されたコネクタ用開口によりＬＡＮコネクタが露出される。これにより、電子機器がＬＡＮケーブルを介してネットワークに接続される。
【００２２】
(8)  上記第１回路基板及び上記第２回路基板は、上記機器本体の前面に対応した位置に、カード型メモリが装填されるカードスロットが実装されたものであってもよい。
【００２３】
第１回路基板及び第２回路基板には、カードスロットが実装されている。カードスロットは、例えば、カード型メモリがその表裏面を水平方向にして挿抜されるものである。機器本体前面側の共通コネクタとカードスロットとが、電子機器の前面に並んで配置されるので、ユーザの操作性が向上される。
【００２４】
(9)  上記機器本体は、被記録媒体を保持する媒体保持部を収容して被記録媒体への画像記録を行うプリンタ部を具備し、上記機器本体前面側の上記機器本体は、被記録媒体を保持する媒体保持部を収容して被記録媒体への画像記録を行うプリンタ部を具備し、上記機器本体前面側のコネクタ用開口は、上記媒体保持部より上側であって該媒体保持部の両縁より外側に形成されたものであってもよい。
【００２５】
電子機器は、プリンタ部を備えている。プリンタ部は、機器本体の前面側に媒体保持部が設けられてなるものである。媒体保持部は、被記録媒体を保持するものである。機器本体前面側のコネクタ用開口は、媒体保持部より上側であって、媒体保持部の両縁より外側に形成されている。これにより、例えばＵＳＢコネクタである前面側の共通コネクタにＵＳＢケーブルが接続されているような場合に、媒体保持部に対するユーザの操作がＵＳＢケーブルによって妨げられることが防止される。
【００２６】
(10)  上記媒体保持部は、上記プリンタ部に対して着脱可能なものであってもよい。これにより、例えばＵＳＢコネクタである前面側の共通コネクタにＵＳＢケーブルが接続されているような場合に、媒体保持部の着脱がＵＳＢケーブルによって妨げられることが防止される。
【００２７】
(11)  本発明に係る電子機器の製造方法は、第１の機種用の第１回路基板及び第３の機種用の第３回路基板が設置される基板設置領域を有し、上記第１回路基板及び第２回路基板に実装される複数のコネクタを露出させるコネクタ用開口が前面側及び背面側にそれぞれ形成された機器本体を具備する電子機器の製造方法であって、上記基板設置領域に設置された際に機器本体前面側となる一部領域が分割可能となるように、平面視が略長方形の上記第３回路基板を作製する第１工程と、一対の共通コネクタの一方を上記一部領域に実装するとともに他方を上記第３回路基板における上記機器本体背面側の縁部に実装し、第１の機種のみに設けられる選択コネクタを上記コネクタ用開口に合致する位置に実装する第２工程と、上記一部領域を上記回路基板本体から分割させて分割回路基板とするとともに、回路基板本体と分割回路基板とを第２ケーブルを介して通信可能に接続する第３工程と、上記回路基板本体に実装された共通コネクタ及び選択コネクタが上記各コネクタ用開口に合致するように、上記回路基板本体を上記基板設置領域に設置するとともに、上記分割回路基板をその共通コネクタが上記機器本体前面側のコネクタ用開口に合致するように上記基板設置領域に設置する第４工程と、を有しており、上記第２工程において、原稿の画像読み取りを実現する画像読取回路を含む複数の回路を有する共通回路が上記第１回路基板及び上記第３回路基板にそれぞれ設けられ、上記共通回路の複数の回路のうち、少なくとも上記画像読取回路を含む一部の回路のみ、上記基板設置領域への設置状態において互いに重なる位置にそれぞれ設けられる製造方法である。
【００２８】
電子機器には、回路基板が設置される基板設置領域が設けられている。電子機器の機器本体には、前面側と背面側にそれぞれコネクタ用開口が形成されている。基板設置領域に設置される回路基板には、複数のコネクタが実装される。実装されたコネクタは、回路基板が基板設置領域に設置された際に、コネクタ用開口を介して機器の外側へ露出されるようになっている。電子機器は、複数のコネクタが実装された回路基板が基板設置領域に設置されることにより製造される。
【００２９】
第１工程において、平面視が略長方形となるように第３回路基板が形成される。その際、第３回路基板は、例えば切り込みが入れられることにより、一部領域が分割可能となるように形成される。続く第２工程において、共通コネクタ及び選択コネクタが第３回路基板に実装される。第３回路基板には、一対の共通コネクタが実装される。共通コネクタは、複数の機種に共通して設けられるものである。一方の共通コネクタは、回路基板本体から分割可能な一部領域に実装される。他方の共通コネクタは、第３回路基板における機器本体背面側の縁部に実装される。すなわち、他方の共通コネクタは、第３回路基板が基板設置領域に設置された際に回路基板本体における機器本体背面側となる縁部に実装される。選択コネクタは、第３回路基板におけるコネクタ用開口に合致する位置に実装される。換言すれば、選択コネクタは、第３回路基板が基板設置領域に設置された際にコネクタ用開口に合致するように、第３回路基板に実装される。選択コネクタは、複数の機種のうちの一部の機種のみに設けられるコネクタである。
【００３０】
第３工程において、一方の共通コネクタが実装された一部領域は、回路基板本体から分割されて分割回路基板となる。一方の共通コネクタを介して通信を行うための回路は、分割回路基板ではなく回路基板本体に実装されている。そのため、分割回路基板は、回路基板本体と通信可能となるように、例えばフラットケーブルを介して接続される。続く第４工程において、回路基板本体及び分割回路基板が基板設置領域に設置される。回路基板本体には、他方の共通コネクタと選択コネクタが実装されている。回路基板本体は、実装されている共通コネクタ及び選択コネクタがそれぞれ対応するコネクタ用開口に合致するように基板設置領域に設置される。分割回路基板には、一方の共通コネクタが実装されている。分割回路基板は、回路基板本体から分割されており、基板設置領域において回路基板本体から離れた位置に設置され得る。分割回路基板は、実装されている共通コネクタが機器本体前面側のコネクタ用開口に合致するように基板設置領域に設置される。
【発明の効果】
【００３１】
本発明に係る電子機器によれば、複数の機種のうちの一部の機種に設けられる選択コネクタの有無に関わらず、複数の機種に共通して設けられる共通コネクタのレイアウトを変更することなく、複数機種の回路基板を選択的に設置することができる。また、本発明に係る電子機器の製造方法によれば、複数の機種のうちの一部の機種に設けられる選択コネクタが追加された電子機器を製造する場合に、複数の機種に共通して設けられる共通コネクタのレイアウトを変更することなく電子機器を製造することができる。
【発明を実施するための最良の形態】
【００３２】
以下、適宜図面を参照して本発明の実施形態について説明する。なお、以下の実施形態は本発明が具体化された一例にすぎず、本発明の要旨を変更しない範囲で、実施形態が適宜変更され得ることは勿論である。
【００３３】
図１は、本発明の実施形態に係る複合機１（本発明の電子機器に相当する）の外観構成を示す斜視図である。
【００３４】
複合機１は、図１に示されるように、下部に配設されたインクジェット記録方式のプリンタ部２（画像記録部に相当する）と、その上部に配設されたスキャナ部３とを一体的に備えた多機能装置（MFD；Multi Function Device）である。ここで説明される複合機１には、第１の機種に対応した回路が実装された第１機種用基板１５０（図１０参照）が設置されている。これにより、複合機１は、プリンタ機能、スキャナ機能、コピー機能、ファクシミリ機能、電話通信機能などを有する。この複合機１は、複合機１と無線通信することにより、上記電話通信機能を発揮する子機１２（図３参照）を備えている。
【００３５】
本実施形態に係る複合機１の特徴とするところは、機器本体１０の前面側及び背面側に形成されたコネクタ用開口１４０〜１４２（図４及び図８参照）のレイアウトを変更することなく、それぞれコネクタが実装された複数の機種の回路基板を設置可能な点にある。すなわち、コネクタ用開口１４０〜１４２のレイアウトを変更することなく、第１機種用基板１５０（本発明における第１回路基板の一例）、第２機種用基板１６０（本発明における第２回路基板の一例）、又は、第３機種用基板１７０（本発明における第３回路基板の一例）を選択的に設置可能な点にある。
【００３６】
第１機種用基板１５０は、第１の機種に対応した回路が実装されるものである（図１０参照）。第１機種用基板１５０は、ＵＳＢコネクタ４０，４１（共通コネクタの一例）が実装され、さらにＬＡＮコネクタ４２（選択コネクタの一例）が実装されたものである（図１１参照）。
【００３７】
第２機種用基板１６０は、第２の機種（本発明の第２の機種の一例）に対応した回路が実装されるものである（図１２参照）。第２機種用基板１６０は、ＵＳＢコネクタ４０，４１が実装されたものである（図１３参照）。
【００３８】
第３機種用基板１７０は、第３の機種（本発明の第３の機種の一例）に対応した回路が実装されるものである（図１４参照）。第３機種用基板１７０は、ＵＳＢコネクタ４０，４１に加えてＬＡＮコネクタ４２が実装され、さらにＵＳＢコネクタ４０が実装された一部領域６７が分割可能なものである（図１５参照）。
【００３９】
本実施形態においては、第１の機種、第２の機種、第３の機種の３種類の設定があり、各機種に応じて第１機種用基板１５０、第２機種用基板１６０、又は、第３機種用基板１７０の３種類の回路基板が選択的に設置される形態について説明される。ただし、本発明では、機種は少なくとも第１の機種を含む２種類であればよい。すなわち、第１の機種と第２の機種、又は、第１の機種と第３の機種との２種類であってもよい。したがって、第１機種用基板１５０と第２機種用基板１６０とが選択的に設置されるものであっても、第１機種用基板１５０と第３機種用基板１７０とが選択的に設置されるものであってもよい。
【００４０】
第１機種用基板１５０、第２機種用基板１６０、第３機種用基板１７０、コネクタ４０〜４２、コネクタ用開口１４０〜１４２については、後に詳述される。以下では、まず第１機種用基板１５０が設置された第１機種の複合機１について説明される。
【００４１】
プリンタ機能においては、複合機１が、主に不図示のコンピュータと接続されて、プリンタ部２が、該コンピュータから送信された画像データや文書データに基づいて、記録用紙（被記録媒体の一例）に画像や文書を記録する。プリンタ部２は、複合機１に接続されたデジタルカメラやＵＳＢ（Universal Serial Bus）メモリ等の外部機器から入力される画像データに基づいて画像を記録用紙に記録する。プリンタ部２は、複合機１に装着されたメモリカード等の各種記憶媒体に記憶された画像データ等に基づいても画像や文書を記録用紙に記録する。
【００４２】
スキャナ機能においては、スキャナ部３により読み取られた原稿の画像データが当該装置と有線或いは無線で接続されたコンピュータへ転送される。また、読み取られた画像データをメモリカード等の各種記憶媒体に転送して記憶させることもできる。コピー機能においては、スキャナ部３により読み取られた画像データがプリンタ部２において記録用紙に記録される。
【００４３】
ファクシミリ機能においては、スキャナ部３により読み取られた画像データがファクシミリ送信可能なデータに変換されて、不図示の電話回線などを通じてファクシミリ送信される。また、上記電話回線を通じて受信されたファクシミリデータは、プリンタ部２に転送されて、該プリンタ部２によって記録用紙に画像として記録される。電話通信機能においては、子機１２から取得された音声が上記電話回線を通じて電気信号として送受信される。
【００４４】
複合機１の一方の側面６１（本実施形態では左側面）には、電話線が接続される通信接続部６２が設けられている。反対側の側面（本実施形態では右側面）には子機１２と無線通信するためのアンテナ６３が設けられている。なお、複合機１の側面６１の内部から外部へ電源コード６４が延びている。この電源コード６４は、電源ユニット７３（図５参照）に接続されており、この電源ユニット７３に商用電力を供給するものである。
【００４５】
図２は、複合機１の内部構成を示す断面図である。
【００４６】
図１及び図２に示されるように、プリンタ部２には、機器本体１０の前面側に開口４が形成されている。この開口４に、被記録媒体を保持する給紙トレイ２０及び排紙トレイ２１が設けられている。本実施形態においては、給紙トレイ２０及び排紙トレイ２１が本発明に係る媒体保持部に相当する。ただし、媒体保持部は、給紙トレイ２０と排紙トレイ２１とのどちらか一方であってもよい。なお、図１では、排紙トレイ２１が開口４の奥部にあるため、外観に表れていない。
【００４７】
給紙トレイ２０には、Ａ４サイズやＢ５サイズ等の所望のサイズの記録用紙（被記録媒体）が収容される。排紙トレイ２１は、給紙トレイ２０に支持されて、給紙トレイ２０の上方に配置される。給紙トレイ２０と排紙トレイ２１とは、上下二段にされて機器本体１０に対して着脱可能に装着される。この給紙トレイ２０は、図２において左右方向（図１においては矢印２７の方向）に挿抜されるようになっている。給紙トレイ２０が装置内部に挿入されると、記録用紙は、給紙ローラ２５によって図２において右方向（記録用紙の搬送方向）へ引き出され、用紙搬送路２３に沿って画像記録ユニット２４側へ送られる。また、ユーザが給紙トレイ２０を装置内部から引き抜くことによって、ユーザは、給紙トレイ２０に記録用紙を補充することができるようになっている。
【００４８】
給紙トレイ２０の奥側に分離傾斜板２２が設けられている。この分離傾斜板２２は、装置背面側へ倒れるように傾斜している。分離傾斜板２２は、給紙トレイ２０から給送された記録用紙を分離して上方へ案内する。分離傾斜板２２の上方に上記用紙搬送路２３が形成されている。この用紙搬送路２３は、分離傾斜板２２から上方へ向かった後、正面側へ曲がっている。さらに、用紙搬送路２３は、機器本体１０の背面側から正面側へと延び、画像記録ユニット２４を通過して排紙トレイ２１へ通じている。給紙トレイ２０に収容された記録用紙は、用紙搬送路２３によって下方から上方へＵターンするように案内されて画像記録ユニット２４に至り、この画像記録ユニット２４により画像記録が行われた後、排紙トレイ２１に排出される。
【００４９】
図１及び図２に示されるように、スキャナ部３は、ＦＢＳ（Flatbed Scanner）として機能する原稿載置台５に対して、原稿カバー７が、背面側の蝶番を介して開閉自在に取り付けられてなる。原稿カバー７は、オート・ドキュメント・フィーダ（Auto Document Feeder、以下「ＡＤＦ」と称される。）６を備える。ＡＤＦ６も、原稿カバー７とともに開閉される。
【００５０】
スキャナ部３は、画像読取ユニット３２を備えている。画像読取ユニット３２は、図示されていないが、コンタクトイメージセンサ（Contact Image Sensor、以下「ＣＩＳ」と称される。）及びセンサキャリッジを有する。ＣＩＳは、光源を発光させて原稿に光を照射し、原稿からの反射光をレンズにより光電変換素子に導き、光電変換素子が反射光強度に応じた電気信号を出力するいわゆる密着型のイメージセンサである。ＣＩＳは、センサキャリッジに搭載されて、プラテンガラス３１の下方を往復動される。
【００５１】
プラテンガラス３１は、原稿カバー７が閉じられることにより原稿カバー７に覆われる。原稿カバー７の下面には、スポンジ及び白板等からなる押さえ部材（不図示）が配設されている。プラテンガラス３１は、スキャンされる原稿が載置されるものであり、例えば透明なガラス板やアクリル板等である。このプラテンガラス３１には、Ａ４サイズやリーガルサイズ以下の原稿が載置可能である。Ａ４サイズやリーガルサイズ以下の原稿は、プラテンガラス３１上に載置されて原稿カバー７が閉じられることにより、当該原稿がプラテンガラス３１上に固定される。この状態で、画像読取ユニット３２がプラテンガラス３１に沿って走査されることにより、ＦＢＳによる原稿の画像読取りが行われる。
【００５２】
図１に示されるように、原稿カバー７には、原稿トレイ７０から原稿搬送路（不図示）を経て排紙トレイ７２へ原稿を連続搬送するＡＤＦ６が設けられている。原稿搬送路は、原稿カバー７に一体に形成されたＡＤＦ本体７５と、ＡＤＦ本体７５に対して開閉自在に設けられたＡＤＦカバー７６とによって構成されている。ＡＤＦ６による搬送過程において、原稿がプラテンガラス３１上に搬送され、プラテンガラス３１の下方に待機された画像読取ユニット３２により原稿の画像が読み取られる。
【００５３】
図３は、第１機種の複合機１が備える子機１２の斜視図である。
【００５４】
子機１２は、ホルダ９に着脱自在に保持される。子機１２は、図には示されていないが、バッテリー及び無線装置を内蔵している。この無線装置は、所定の通信規格に基づいて機器本体１０に内蔵された無線装置と無線通信する。子機１２の正面には、各種操作キー１０６、液晶ディスプレイ１０７、マイク１０８、及びスピーカ１０９が配置されている。ユーザは、操作キー１０６を操作することによって外部と電話通信を行うことができる。この場合、子機１２は、機器本体１０との無線通信を介して前述の電話通信機能を発揮させるものである。
【００５５】
図１に示されるように、複合機１の前面上部には、プリンタ部２やスキャナ部３を動作させるための操作部８が設けられている。操作部８は、複合機１の前面上部の外装を形成する操作パネル１０３と、操作パネル１０３の内側に適宜配設された各種ボタンスイッチ３５や液晶ディスプレイ３６を備えて構成されている。操作部８は、複合機１の正面からの操作を容易にするため、複合機１の正面側に傾斜されている。操作パネル１０３には、ボタンスイッチ３５及び液晶ディスプレイ３６の形状に対応した複数の開口が形成されており、この開口からボタンスイッチ３５の押圧部および液晶ディスプレイ３６の表示面が外部に露出されている。
【００５６】
複合機１は、操作部８からの操作入力に基づいて動作される。複合機１が外部のコンピュータに接続されている場合には、該コンピュータからプリンタドライバ又はスキャナドライバを介して送信される指示に基づいても複合機１は動作される。
【００５７】
図４は、コネクタパネル１１の部分拡大図である。
【００５８】
図１及び図２に示されるように、複合機１の機器本体１０の前面に対応した位置に、各種コネクタを露出させるためのコネクタパネル１１が配設されている。このコネクタパネル１１は、開口４の上側に配置されている。コネクタパネル１１は、図４に詳細に示されるように、装置の幅方向に細く長い帯状に形成されており、開口４の上側に形成された不図示の開口に周知の嵌込機構によって嵌め込まれている。
【００５９】
コネクタパネル１１の左端側にはコネクタ用開口１４０が形成されており、右端部には２つのスロット用開口１８，１９が形成されている。後述されるが、第１機種用基板１５０には、ＵＳＢコネクタ４０（共通コネクタの一つ、第１ＵＳＢコネクタ）、カードスロット９６，９７が実装されている（図１０参照）。ＵＳＢコネクタ４０は、ＵＳＢホストとして機能する外部装置をＵＳＢ接続するためのコネクタである。カードスロット９６，９７は、カード型メモリが装填されるものである。ここで、カード型メモリとは、記憶媒体としてフラッシュメモリが内蔵されたカード型の記憶装置である。この第１機種用基板１５０が機器本体１０内部の所定の位置に設置されることにより、ＵＳＢコネクタ４０、カードスロット９６，９７がコネクタパネル１１の各開口から露出される。すなわち、ＵＳＢコネクタ４０がコネクタ用開口１４０から露出され、カードスロット９６がスロット用開口１８から露出され、カードスロット９７がスロット用開口１９から露出される。
【００６０】
図５は、プリンタ部２の筐体１５の分解斜視図である。図６は、複合機１を構成する各構成要素が保持されたベースフレーム１０１の構成を示す斜視図である。図７は、ベースフレーム１０１の分離板１１１及び第１機種用基板１５０の位置を示す図であり、（Ａ）はベースフレーム１０１の斜視図、（Ｂ）はベースフレーム１０１及び第１機種用基板１５０の斜視図を模式化した図、（Ｃ）は（Ａ）及び（Ｂ）のＤ−Ｄ切断線の模式断面図である。
【００６１】
以下、プリンタ部２の筐体１５について説明する。図５に示されるように、プリンタ部２の筐体１５は、主として、ベースフレーム１０１、外装フレーム１０２、操作パネル１０３、コネクタパネル１１、プリンタ部２の前面の化粧パネル１６及び扉１４により構成されている。ベースフレーム１０１には、画像記録ユニット２４、給紙トレイ２０、排紙トレイ２１、第１機種用基板１５０、電源ユニット７３、通信ユニット８３等の構成要素が保持される。
【００６２】
電源ユニット７３は、電源コード６４から供給された所定電圧の商用電力を複合機１で適用可能な電圧の電力に変換して、その電力を第１機種用基板１５０（図２及び図１０参照）に伝送するためのものである。具体的には、ＡＣ１００ＶやＡＣ２００Ｖの高圧交流を低圧交流に変換（変圧）するトランス（変圧器）、該トランスにより変換された二次側の交流を整流して直流に変換する整流器、該整流器の二次側の直流に含まれる交流成分（リップル）を平滑するコンデンサなどの電子部品などにより構成されている。
【００６３】
所定電圧に変換された電力は、電源ユニット７３の内部から引き出された電力ケーブル７９によって外部に伝送される。電力ケーブル７９の先端にはコネクタ８０が連結されている。このコネクタ８０は、第１機種用基板１５０の中継コネクタ８１（図６参照）に接続される。
【００６４】
通信ユニット８３は、電話線の末端に連結されたモジュラージャックを接続するための電話端子８４を有する。通信ユニット８３は、電話端子８４を介して電話線に音声データや画像データを、該電話線と接続された外部装置との間で送受信するものである。また、通信ユニット８３からは通信ケーブル８６が引き出されている。電話端子８４は、ノイズフィルタ等を介して通信ケーブル８６と内部で中継接続されている。
【００６５】
電話端子８４から送受信されるデータは、通信ケーブル８６によって外部に伝送される。通信ケーブル８６の先端にはコネクタ８７が連結されている。このコネクタ８７は、第１機種用基板１５０の中継コネクタ８８（図６参照）に接続される。
【００６６】
べースフレーム１０１は、図５及び図６に示されるように、概ねトレイ状に形成されている。このベースフレーム１０１は、左側面をなす側壁１１０を有する。ベースフレーム１０１は、プリンタ部２の外形形状に対応して、全体として幅広で薄型の略直方体に形成されている。
【００６７】
ベースフレーム１０１は、図７に示されるように、ベースフレーム１０１の高さ方向に空間を分離する分離板１１１が設けられている。この分離板１１１によって、ベースフレーム１０１は、分離板１１１の上側の上側保持部１１４と、分離板１１１の下側の下側保持部１１５とに分離される。なお、分離板１１１は、下側保持部１１５の天板を構成する。分離板１１１には、段差１２２が設けられている。この段差１２２により、分離板１１１は、高さの異なる２つの平坦部に分けられる。より詳細には、段差１２２によって、分離板１１１は、上段平坦部１１２と、上段平坦部１１２よりも低い下段平坦部１１３とに分けられている。分離板１１１は、例えば、平板状の金属部材や合成樹脂材を屈曲加工して得られる。
【００６８】
上段平坦部１１２は、ベースフレーム１０１の前面側に配置され、下段平坦部１１３は背面側に配置される。したがって、上段平坦部１１２の保持空間は下段平坦部１１３の保持空間よりも狭くなっている。そのため、図５〜図７に示されるように、比較的高さ方向に設置スペースを要しない第１機種用基板１５０は、上段平坦部１１２上に配設されている。この上段平坦部１１２のうち、第１機種用基板１５０を設置可能な一部の領域が、基板設置領域３０に相当する（図９参照）。また、比較的大きい画像記録ユニット２４は下段平坦部１１３上に配設されている。なお、上段平坦部１１２の下側に広い空間が形成されているが、当該空間が給紙トレイ２０の配置空間、すなわち、開口４が形成される空間となる。
【００６９】
図６に示されるように、ベースフレーム１０１は底板１１６を備える。この底板１１６は、上記した下側保持部１１５の底面を構成する。底板１１６は、開口４に対応する中央部から左側端部にわたって大きく切り抜かれて、開口１２０が形成されている。したがって、リフィルユニット３８を収容する部分を除いて、下側保持部１１５は実質的に下方に開放されている。この開口１２０から電源ユニット７３及び通信ユニット８３がベースフレーム１０１の下側保持部１１５内に装着されて、電源ユニット７３及び通信ユニット８３が下側保持部１１５に組み付けられる。本実施形態では、底板１１６に開口１２０を形成する構成としたが、電源ユニット７３及び通信ユニット８３をベースフレーム１０１の底面からベースフレーム１０１内に装着し得る開口が底板１１６に形成されていれば足りる。
【００７０】
図６に示されるように、側壁１１０には、側壁１１０の下端から上端へ延びる２つの溝１２３，１２４が形成されている。溝１２３，１２４は、下側保持部１１５から上側保持部１１４へわたって側壁１１０に設けられている。溝１２３，１２４の下端側には、溝１２３，１２４に連続するようにして切り欠き１２５，１２６が形成されている。これら切り欠き１２５，１２６は、側壁１１０の下端側に開放されている。
【００７１】
切り欠き１２５は、下側保持部１１５内に入れ込まれた電源ユニット７３から引き出された電力ケーブル７９を側壁１１０の外側に挿通させるためのものである。また、溝１２３は、切り欠き１２５を挿通された電力ケーブル７９を収容するためのものである。この溝１２３は電力ケーブル７９を完全に収容可能な程度の十分な深さに形成されている。
【００７２】
切り欠き１２６は、下側保持部１１５内に入れ込まれた通信ユニット８３から引き出された通信ケーブル８６を側壁１１０の外側に挿通させるためのものである。また、溝１２４は、切り欠き１２６を挿通された通信ケーブル８６を収容するためのものである。この溝１２４は、溝１２３と同じように、通信ケーブル８６を完全に収容可能な程度の十分な深さに形成されている。
【００７３】
筐体１５は、図５に示されるように、外装フレーム１０２を備えている。外装フレーム１０２は、フレーム本体１３２と、右側壁１３３と、左側壁１３４と、後壁１３５とを有する。フレーム本体１３２は、右側壁１３３、左側壁１３４および後壁１３５の上縁部に連続して形成されている。フレーム本体１３２には、操作パネル１０３やスキャナ部３（図１参照）が取り付けられる。そのため、フレーム本体１３２には、操作パネル１０３やスキャナ部３を取り付けるためのネジ孔やボス、係合爪などの連結手段が適宜設けられている。また、フレーム本体１３２は、スキャナ部３と画像記録ユニット２４とを仕切る間仕切り板の役割を果たすものでもある。このフレーム本体１３２は、概ね、平板状に形成されている。このようなフレーム本体１３２と、右側壁１３３、左側壁１３４及び後壁１３５とにより外装フレーム１０２が形成されることで、外装フレーム１０２は、前面及び底面が開放され、且つ、左右両側面及び後面を有するカバー形状を呈する。
【００７４】
フレーム本体１３２には、適宜開口１３６が形成されている。この開口１３６を通じて下方に配置される画像記録ユニット２４等のメンテナンスが可能となっている。本実施形態では、フレーム本体１３２、右側壁１３３、左側壁１３４及び後壁１３５が樹脂により一体に成形されている。
【００７５】
外装フレーム１０２は、図７に示されるように、上方からベースフレーム１０１に被せられるようになっている。外装フレーム１０２の右側壁１３３や左側壁１３４等には複数の係合爪１３７が突設されている。ベースフレーム１０１には、これら係合爪１３７に対応する箇所に不図示の係合溝が設けられている。外装フレーム１０２がベースフレーム１０１に被せられると、係合爪１３７が上記係合溝に係合される。これにより、右側壁１３３及び左側壁１３４がベースフレーム１０１の両側壁を覆うようにして、外装フレーム１０２がベースフレーム１０１に固定される。なお、右側壁１３３から左側壁１３４までの幅寸法は、ベースフレーム１０１の幅に対応して設計されている。そのため、ベースフレーム１０１に外装フレーム１０２が被せられると、右側壁１３３及び左側壁１３４の内面とベースフレームの側壁１１０等の表面とが隙間なく合わせられる。
【００７６】
図５に示されるように、ベースフレーム１０１の正面から見て右側端部に扉１４が取り付けられ、左側端部に化粧パネル１６が取り付けられる。また、開口４の上側には、前記したコネクタパネル１１が取り付けられる。これら扉１４、化粧パネル１６およびコネクタパネル１１によって筐体１５の前面が構成されるとともに、プリンタ部２の前面の外装が形成される。
【００７７】
図には表れていないが、扉１４の内側には筐体１５の内部に通じる開口が形成されている。扉１４は、この開口を開閉するためのものであり、開口の下端付近を軸にして前方へ回動可能に取り付けられている。この開口には、リフィルユニット３８が内蔵される。リフィルユニット３８には、インクカートリッジ３９が着脱可能に装填されている。インクカートリッジ３９には、ブラック（Ｂｋ）、イエロー（Ｙ）、マゼンタ（Ｍ）、及び、シアン（Ｃ）の各色インクが貯留されている。画像記録ユニット２４は、インクカートリッジ３９から供給されるインクを微少なインク滴として選択的に吐出することにより、画像記録を行う。
【００７８】
図４に示されるように、コネクタパネル１１の左端部にはコネクタ用開口１４０が形成されている。コネクタ用開口１４０は、ここでは第１機種用基板１５０に実装されるＵＳＢコネクタ４０（共通コネクタの一つ、第１ＵＳＢコネクタに相当）を露出させるものである。ＵＳＢコネクタ４０は、第１機種用基板１５０が基板設置領域３０に設置されることにより、コネクタ用開口１４０に合致する。これにより、ＵＳＢコネクタ４０が機器本体１０の前面側に向けて露出されるようになっている。なお、基板設置領域３０には、第１機種用基板１５０に代えて、第２機種用基板１６０又は第３機種用基板１７０を設置可能である。これらの場合にも同様に、いずれかの基板１６０又は１７０に実装されているＵＳＢコネクタ４０がコネクタ用開口１４０を介して機器本体１０の前面側へ露出されるようになっている。
【００７９】
ＵＳＢコネクタ４０は、第１機種用基板１５０、第２機種用基板１６０、及び、第３機種用基板１７０に共通して実装される共通コネクタである。ＵＳＢコネクタ４０は、外部装置（不図示）とデータ通信を行うためのものである。このＵＳＢコネクタ４０には、ＵＳＢホストとして機能する外部装置（例えばデジタルカメラ）が接続される。ＵＳＢコネクタ４０は、ユーザがＵＳＢメモリやＵＳＢケーブルをコネクタパネル１１に対して垂直な方向に挿入及び抜き取りが可能なように設けられている。ＵＳＢコネクタ４０を介して接続される外部装置は、複合機１と常時接続されるものではなく、必要に応じて適宜接続されるものである。そのため、ユーザが例えばＵＳＢケーブルの挿入又は抜脱を容易に行えるように、ＵＳＢコネクタ４０は、上記のように機器本体１０の前面側に設けられている。
【００８０】
また、機器本体１０の前面側のコネクタ用開口１４０は、給紙トレイ２０及び排紙トレイ２１より上側であって、給紙トレイ２０及び排紙トレイ２１の両縁より外側に形成されている。これにより、例えばＵＳＢコネクタ４０にＵＳＢケーブルが接続されている場合に、給紙トレイ２０や排紙トレイ２１に対するユーザの操作がＵＳＢケーブルによって妨げられることが防止される。ここで、ユーザの操作とは、給紙トレイ２０へ記録用紙を補充する動作や、排紙トレイ２１から画像記録された記録用紙を取り出す動作である。
【００８１】
図８は、第２ＵＳＢコネクタ４１が露出されるコネクタ用開口１４１、及びＬＡＮコネクタ４２が露出されるコネクタ用開口１４２の位置を示す斜視図である。
【００８２】
図８に示されるように、機器本体１０の外装フレーム１０２には、コネクタ用開口１４１，１４２が形成されている。コネクタ用開口１４１，１４２は、外装フレーム１０２のフレーム本体１３２における略中央部分よりも機器本体１０の幅方向右側に形成されている。コネクタ用開口１４１は、基板設置領域３０に設置された基板（ここでは、基板１５０，１６０，１７０のいずれか）に実装されているＵＳＢコネクタ４１（第２ＵＳＢコネクタ）を露出させるものである。コネクタ用開口１４２は、基板設置領域３０に設置された基板（ここでは、基板１５０又は１７０）に実装されているＬＡＮコネクタ４２（選択コネクタの一例）を露出させるものである。ＵＳＢコネクタ４１には、コネクタ用開口１４１を挿通されたＵＳＢケーブルが接続される。ＬＡＮコネクタ４２には、コネクタ用開口１４２を挿通されたＬＡＮケーブルが接続される。このように、機器本体１０には、第１機種用基板１５０、第２機種用基板１６０、又は第３機種用基板１７０に実装されるコネクタ４０〜４２を露出させるコネクタ用開口１４０〜１４２が前面側及び背面側にそれぞれ形成されている。
【００８３】
外装フレーム１０２の上面側には、機器本体１０の背面側の右端部からコネクタ用開口１４１，１４２にかけて、Ｌ字型に曲折された案内部４４が形成されている。案内部４４には、第２ＵＳＢコネクタ４１に接続されたＵＳＢケーブル、又は、ＬＡＮコネクタ４２に接続されたＬＡＮケーブルが収容される。ＵＳＢケーブル又はＬＡＮケーブルは、導入部４５からコネクタ用開口１４１，１４２へ向けて案内部４４に収容され、第２ＵＳＢコネクタ４１又はＬＡＮコネクタ４２に接続される。なお、案内部４４には、ＵＳＢケーブルとＬＡＮケーブルの両方が収容される場合があるため、案内部４４は、これら両方のケーブルを収容可能な空間を有するように形成されている。
【００８４】
ＵＳＢコネクタ４１は、第１機種用基板１５０、第２機種用基板１６０、及び、第３機種用基板１７０に共通して実装される共通コネクタである。ＵＳＢコネクタ４１は、外部装置（不図示）とデータ通信を行うためのものである。このＵＳＢコネクタ４１は、上記のように機器本体１０の背面側に露出されるように機器本体１０の内部に配設されており、ＵＳＢケーブルを介してＵＳＢデバイスとして機能する外部装置（例えばパーソナルコンピュータ）が接続される。ＵＳＢコネクタ４１に接続される外部装置は、主としてパーソナルコンピュータ等の複合機１に常時接続される装置である。そのため、ＵＳＢコネクタ４１は機器本体１０の内部に配設されている。ＬＡＮコネクタ４２は、第１機種用基板１５０及び第３機種用基板１７０に実装される選択コネクタである。ＬＡＮコネクタ４２は、外部装置とＬＡＮを介してデータ通信を行うためのものである。ＬＡＮコネクタ４２に接続される外部装置も主としてパーソナルコンピュータである。ＵＳＢコネクタ４１とＬＡＮコネクタ４２とは、ユーザの使用形態により任意に選択されて使用される。
【００８５】
図９は、基板設置領域３０の位置を示す概略図である。
【００８６】
基板設置領域３０は、本実施形態においては、第１機種用基板１５０、第２機種用基板１６０、及び第３機種用基板１７０のいずれかが選択的に設置される領域である。基板設置領域３０は、図７及び図９に示されるように、分離板１１１の上段平坦部１１２に設けられている。以下、この基板設置領域３０に選択的に設置される第１機種用基板１５０、第２機種用基板１６０、第３機種用基板１７０について説明する。
【００８７】
図１０は、第１機種用基板１５０を示す概略図である。図１１は、基板設置領域３０に設置された第１機種用基板１５０を示す概略図である。
【００８８】
第１機種用基板１５０は、第１の機種に対応した回路が実装されるものであり、本発明に係る第１回路基板に相当する。第１機種用基板１５０は、より少ない面積で可能な限り多くの回路を実装するために、図１０に示されるように平面視が略長方形となるように形成されている。この第１機種用基板１５０には、共通領域と選択領域とが配置されている。
【００８９】
共通領域は、第１の機種及び第２の機種に共通する共通機能を実現する回路が配置される領域である。換言すれば、共通領域は、第１機種用回路１５０、第２機種用回路１６０、及び第３機種用回路１７０に共通して実装される回路が配置される領域である。本実施形態においては、共通領域には、ＵＳＢコネクタ４０，４１、ＵＳＢ回路３３，３４、ＣＰＵ１５１、電力供給回路１５２、通信回路１５３、パネル回路１５４、ＡＤＦ回路１５５、ＦＢＳ回路１５６（画像読取回路に相当する）、プリンタ回路１５７、カードスロット９６，９７、スピーカ（ＳＰ）１５８が配置される。
【００９０】
選択領域は、第１の機種のみが有する選択機能を実現する回路が配置される領域である。換言すれば、選択領域は、第１機種用回路１５０のみに実装される回路が配置される領域である。本実施形態においては、選択領域には、ＬＡＮコネクタ４２、ＬＡＮ Ｉ／Ｆ回路４７、音声回路４８、液晶回路４９、コードレス電話回路５０が配置される。なお、本実施形態における第１機種用基板１５０においては、共通領域と選択領域とが入り交じって配置されている。
【００９１】
第１機種用基板１５０が基板設置領域３０に設置されることにより、第１の機種及び第２の機種に共通する共通機能に加えて、第１の機種のみが有する選択機能が実現される。ここでの共通機能は、プリンタ機能、スキャナ機能、コピー機能、ファクシミリ機能である。選択機能は、電話通信機能や、ＬＡＮを介して外部装置と複合機１とを通信可能に接続するＬＡＮ接続機能などである。以下、第１機種用基板１５０に実装される回路及びコネクタについて説明する。
【００９２】
第１機種用基板１５０の共通領域には、ＵＳＢコネクタ４０，４１、ＵＳＢ回路３３，３４、ＣＰＵ１５１、電力供給回路１５２、通信回路１５３、パネル回路１５４、ＡＤＦ回路１５５、ＦＢＳ回路１５６、プリンタ回路１５７、カードスロット９６，９７、スピーカ１５８が配置されている。
【００９３】
ＵＳＢコネクタ４０，４１は、機器本体１０の前面側及び背面側の各コネクタ用開口１４０，１４１にそれぞれ合致するように第１機種用基板１５０に実装されている。ＵＳＢコネクタ４０，４１は、具体的には、第１機種用基板１５０が基板設置領域３０に設置された際に、ＵＳＢコネクタ４０がコネクタ用開口１４０に合致し、ＵＳＢコネクタ４１がコネクタ用開口１４１に合致するように実装されている。本実施形態においては、ＵＳＢコネクタ４０，４１は、機器本体１０の前面側及び背面側の各コネクタ用開口１４０，１４１にそれぞれ合致するように対角位置に実装されている。すなわち、ＵＳＢコネクタ４０，４１は、第１機種用基板１５０上の離れた位置に実装されている。
【００９４】
ＵＳＢコネクタ４０とＵＳＢコネクタ４１とは、同一の通信規格（ＵＳＢ：universal serial bus）によりそれぞれ外部装置とデータ通信を行うためのものである。機器本体１０の前面側に設けられるＵＳＢコネクタ４０には、複合機１に対してＵＳＢホストとして機能するデジタルカメラ等がＵＳＢケーブルを介して接続される。ＵＳＢ回路３３は、ＵＳＢホストコントローラを内蔵したものであり、ＵＳＢコネクタ４０に接続された外部装置との間でＵＳＢを介してデータの送受信を行う。機器本体１０の背面側に設けられるＵＳＢコネクタ４１には、複合機１に対してＵＳＢデバイスとして機能するパーソナルコンピュータ等がＵＳＢケーブルを介して接続される。ＵＳＢ回路３４は、ＵＳＢデバイスコントローラを内蔵したものであり、ＵＳＢコネクタ４１に接続された外部装置との間でＵＳＢを介してデータの送受信を行う。
【００９５】
ＵＳＢコネクタ４０を介した複合機１とＵＳＢホストとのデータ通信と、ＵＳＢコネクタ４１を介した複合機１とＵＳＢデバイスとのデータ通信とは、同時に行われる場合がある。これらのデータ通信は、同一の通信規格（ここでは、ＵＳＢ）に基づいて行われるので互いに干渉することが考えられるが、ＵＳＢコネクタ４０，４１は対角位置に配置されている。そのため、ＵＳＢコネクタ４０を介したＵＳＢホストとのデータ通信と、ＵＳＢコネクタ４１を介したＵＳＢデバイスとのデータ通信とが、互いに干渉することなく同時に実行可能である。
【００９６】
ＣＰＵ（Central Processing Unit）１５１は、複合機１全体の動作を制御するためのものである。図には示されていないが、第１機種用基板１５０には、ＲＯＭ（Read Only Memory）、ＲＡＭ（Random Access Memory）、ＥＥＰＲＯＭ（Electrically Erasable and Programmable ROM）が設けられている。これらＣＰＵ１５１、ＲＯＭ、ＲＡＭ、ＥＥＰＲＯＭにより複合機１の制御部が構成される。この制御部からの制御命令に基づいて、複合機１を構成する各部が動作する。
【００９７】
電力供給回路１５２には、上記中継コネクタ８１（図６参照）が設けられており、電源ユニット７３から延出されている電力ケーブル７９が接続される。電力供給回路１５２は、電力ケーブル７９を介して電源ユニット７３から伝送された電力を複合機１の各部へ供給する。これにより、複合機１の各部が動作可能となる。通信回路１５３には、上記中継コネクタ８８（図６参照）が設けられており、通信ユニット８３から延出されている通信ケーブル８６が接続される。通信回路１５３は、通信ユニット８３により送受信される音声データや画像データの変調及び復調を行う。
【００９８】
パネル回路１５４は、操作部８を介したユーザの操作入力を受け付けるものである。具体的には、操作部８のボタンスイッチ３５が操作された場合に、そのボタンスイッチ３５に対応するキーコードを生成し、生成したキーコードをＣＰＵ１５１へ転送する。これにより、ユーザの操作入力が受け付けられる。
【００９９】
図８に示されるように、外装フレーム１０２のフレーム本体１３２には、収容部２８が設けられている。この収容部２８には、スキャナ部２から延出されたフラットケーブル（不図示）が導入部２９側から収容される。収容部２８に収容されたフラットケーブルの端部は、外装フレーム１０２の下方における基板設置領域３０に設置されている第１機種用基板１５０のＡＤＦ回路１５５及びＦＢＳ回路１５６に接続される。ＡＤＦ回路１５５は、接続されたフラットケーブルを介してＡＤＦ６へ制御信号等を伝送し、ＡＤＦ６を動作させて原稿トレイ７０に載置されている原稿を排紙トレイ７２へと搬送する。ＦＢＳ回路１５６は、接続されたフラットケーブルを介して画像読取ユニット３２へ制御信号等を伝送し、ＦＢＳによる原稿の画像読み取りや、ＡＤＦ６によりプラテンガラス３１上を搬送される原稿の画像読み取りを行う。
【０１００】
プリンタ回路１５７は、図には示されていないが、プリンタ部２の画像記録ユニット２４等とフラットケーブルを介して接続される。プリンタ回路１５７は、ＣＰＵ１５１等からなる上記制御部からの制御命令に基づいて、用紙搬送路２３による記録用紙の搬送や画像記録ユニット２４による画像記録を行う。
【０１０１】
カードスロット９６，９７は、機器本体１０の前面に対応した位置に実装されたものである。カードスロット９６，９７は、図４及び図１０に示されるように、異なるタイプのカード型メモリが装填される。これらカードスロット９６，９７は、カード型メモリをコネクタパネル１１に対して垂直な方向、即ち、装置の奥行き方向に挿入及び抜き取りが可能なように第１機種用基板１５０に実装されている。また、カード型メモリの表裏面を水平方向にした状態でカード型メモリの挿入及び抜き取りが可能なように、カードスロット９６，９７は横向きに配設されている。
【０１０２】
複合機１では、カードスロット９６，９７にカード型メモリが装填されると、複合機１の制御部が該メモリカードにアクセスすることにより、該メモリカードに記憶された画像データが読み出される。画像データが読み出されると、該画像データに関する情報が操作パネル１０３の液晶ディスプレイ３６に表示される。液晶ディスプレイ３６に表示された情報に基づいてユーザが任意に画像を選択すると、選択された画像データがプリンタ部２へ転送されて、該画像データが記録用紙に記録される。スピーカ１５８は、電話通信機能のための呼出音、エラー発生を報知するためのブザー音、所定の音声メッセージ等を出力する。
【０１０３】
第１機種用基板１５０の選択領域には、ＬＡＮコネクタ４２、ＬＡＮ Ｉ／Ｆ回路４７、音声回路４８、液晶回路４９、コードレス電話回路５０が配置されている。
【０１０４】
ＬＡＮコネクタ４２は、コネクタ用開口１４２に合致するように第１機種用基板１５０に実装されている。このＬＡＮコネクタ４２は、第１の機種のみに設けられる選択コネクタである。ＬＡＮ Ｉ／Ｆ用回路４７は、複合機１のＬＡＮインターフェースとして機能するものである。ＬＡＮ Ｉ／Ｆ用回路４７は、ＬＡＮコネクタ４２に接続されたＬＡＮケーブルを介して、複合機１と図外のＬＡＮ（Local Area Network）とを通信可能に接続する。
【０１０５】
音声回路４８は、スピーカ１５８を介して音声メッセージを出力するものである。液晶回路４９は、操作パネル１０３に配設されている液晶ディスプレイ３６に複合機１の動作状態や設定情報などの情報を表示するものである。コードレス電話回路５０には、アンテナ６３（図１参照）が接続されている。コードレス電話回路５０は、アンテナ６３を介して子機１２との間で無線通信を行うことにより電話通信機能を実現するものである。
【０１０６】
図１２は、第２機種用基板１６０を示す概略図である。図１３は、基板設置領域３０に設置された第２機種用基板１６０を示す概略図である。以下、第２機種用基板１６０について説明する。ただし、第１機種用基板１５０に実装される回路と同様の回路については同一符号を付与してその説明を一部省略する。
【０１０７】
第２機種用基板１６０は、第２の機種に対応した回路が実装されるものであり、本発明に係る第２回路基板に相当する。第２機種用基板１６０は、より少ない面積で可能な限り多くの回路を実装するために、図１２に示されるように平面視が略長方形となるように形成されている。この第２機種用基板１６０には、共通領域のみが配置されている。換言すれば、第２機種用基板１６０には、上記選択領域は配置されていない。そのため、第２機種用基板１６０は、第１機種用基板１５０と縦方向の長さが略同等で、且つ、幅方向の長さが第１機種用基板１５０よりも短くなるように作製されている。
【０１０８】
第２機種用基板１６０には、ＵＳＢコネクタ４０，４１、ＵＳＢ回路３３，３４、ＣＰＵ１５１、電力供給回路１５２、通信回路１５３、パネル回路１５４、ＡＤＦ回路１５５、ＦＢＳ回路１５６、プリンタ回路１５７、カードスロット９６，９７、スピーカ（ＳＰ）１５８が配置されている。
【０１０９】
ＵＳＢコネクタ４０，４１は、機器本体１０の前面側及び背面側の各コネクタ用開口１４０，１４１にそれぞれ合致するように第２機種用基板１６０に実装されている。ＵＳＢコネクタ４０，４１は、具体的には、第２機種用基板１６０が基板設置領域３０に設置された際に、ＵＳＢコネクタ４０がコネクタ用開口１４０に合致し、ＵＳＢコネクタ４１がコネクタ用開口１４１に合致するように実装されている。本実施形態においては、ＵＳＢコネクタ４０，４１は、機器本体１０の前面側及び背面側の各コネクタ用開口１４０，１４１にそれぞれ合致するように対角位置に実装されている。すなわち、ＵＳＢコネクタ４０，４１は、第２機種用基板１６０上の離れた位置に実装されている。
【０１１０】
第２機種用基板１６０のカードスロット９６，９７は、機器本体１０の前面に対応した位置に実装されたものである。カードスロット９６，９７は、図１２に示されるように、異なるタイプのカード型メモリが装填される。第２機種用基板１６０は、選択領域を有していないため、第１機種用基板１５０よりも幅方向の長さが短くなるように作製されたものである。そのため、第２機種用基板１６０のカードスロット９６，９７は、第１機種用基板１５０に実装されているものよりも若干ＵＳＢコネクタ４０寄りに実装されるようになっている。そのため、コネクタパネル１１は、複合機１に第２機種用基板１６０が設置される場合には、第１機種用基板１５０が設置される場合とは異なる位置にスロット用開口１８，１９が形成されたものが使用される。
【０１１１】
図１４は、第３機種用基板１７０を示す概略図である。図１５は、基板設置領域３０に設置された第３機種用基板１７０を示す概略図であり、分割回路基板３７が分割されていない状態を示す図である。図１６は、基板設置領域３０に設置された第３機種用基板１７０を示す概略図であり、分割回路基板３７が分割された状態を示す図である。
【０１１２】
以下、第３機種用基板１７０について説明するが、第１機種用基板１５０や第２機種用基板１６０に実装される回路と同様の回路については同一符号を付与してその説明を一部省略する。第３機種用基板１７０は、第３の機種に対応した回路が実装されるものであり、本発明に係る第２回路基板に相当する。第３機種用基板１７０は、第２機種用基板１６０と同様に本発明における第２回路基板に相当する回路基板であるが、第２機種用基板１６０には配置されていない選択領域が配置されている点で第２機種用基板１６０と相違する。
【０１１３】
第３機種用基板１７０は、縦方向の長さ及び横方向の長さが第２機種用基板１６０と略同じになるように作製されたものであるが、まず、選択領域を有する点で第２機種用基板１６０とは異なる。図１４に示されるように、第３機種用基板１７０の選択領域には、選択コネクタであるＬＡＮコネクタ４２及びＬＡＮ Ｉ／Ｆ回路４７が実装されている。このＬＡＮコネクタ４２は、コネクタ用開口１４２に合致するように実装されたものである。すなわち、第３機種用基板１７０が基板設置領域３０に設置された際に、ＬＡＮコネクタ４２がコネクタ用開口１４２に合致する。
【０１１４】
第３機種用基板１７０は、第２機種用基板１６０よりも幅方向の長さが若干短いものであり、ＬＡＮコネクタ４２が追加されたものである。また、第３機種用基板１７０は、コネクタ用開口１４０及びコネクタ用開口１４２間の距離（機器本体１０の幅方向の距離）よりも幅が狭くなるように作製されたものである。そのため、図１４に示されるように、ＬＡＮコネクタ４２及びＬＡＮ Ｉ／Ｆ回路４７を実装するスペースを確保すべく、ＵＳＢコネクタ４１の実装位置が変更されている。そのため、ＵＳＢコネクタ４１をコネクタ用開口１４１に合致させ、ＬＡＮコネクタ４２をコネクタ用開口１４２に合致させるように第３機種用基板１７０をそのまま基板設置領域３０に設置すると、ＵＳＢコネクタ４０がコネクタ用開口１４０に合致しなくなる（図１５参照）。
【０１１５】
そこで、第３機種用基板１７０は、基板本体（回路基板本体）６６から、機器本体１０の前面側のＵＳＢコネクタ４０が実装された一部領域６７が分割可能となるように作製されている。具体的には、一部領域６７と基板本体６６との境界のうちの接続保持部６８のみを残して残りの部分を切除する。すなわち、一部領域６７を僅かな力で基板本体６６から分割できるように、一部領域と基板本体との間に切り欠き９０，９１を入れておく。
【０１１６】
第３機種用基板１７０を設置する場合、基板本体６６を支持した状態で一部領域６７に力を加えて、接続保持部６８を破断させる。これにより、一部領域６７を分割して分割回路基板３７とする。この分割回路基板３７には、ＵＳＢコネクタ４０が実装されている。図１６に示されるように、分割回路基板３７を機器本体１０の幅方向の外側へずらすようにして基板設置領域３０に設置する。これにより、ＵＳＢコネクタ４０がコネクタ用開口１４０に合致される。
【０１１７】
次に、基板設置領域３０に第３機種用基板１７０が設置される複合機１の製造方法について詳細に説明する。なお、この複合機１の製造は、以下に説明する第１工程から第４工程の順で所定の作業がなされることによって行われる。また、製造される複合機１は、第３機種用基板１７０（回路基板）が設置される基板設置領域３０を有している。また、機器本体１０には、第３機種用基板１７０に実装される複数のコネクタ４０〜４２を露出させるコネクタ用開口１４０〜１４２が前面側及び背面側にそれぞれ形成されている。
【０１１８】
図１７は、基板材料９２をワークサイズの基板９３に分割する作業について説明するための図である。図１８は、基板９３から作製されたプリント配線板９４を示す概略図である。
【０１１９】
《第１工程》
基板設置領域３０に設置された際に機器本体１０の前面側となる一部領域６７が分割可能となるように、平面視が略長方形の回路基板９４（図１８参照）を作製する。最初に、図１７に示されるように、例えば長手寸法が４８インチ、短手寸法４０インチの基板材料９２を、所謂ワークサイズと言われる一定の大きさに切断する。例えば、長手寸法（４８インチ）を３分割、短手寸法（４０インチ）を４分割する場合、ワークサイズは１６インチ×１０インチとなる。基板材料９２をワークサイズに切断することにより、基板９３が得られる。ここでの基板９３の取り数は、１２枚である。なお、ワークサイズは、製品の制約（例えば、基板設置領域３０の広さ）や、実装する回路の種類等を考慮して適宜決定される。
【０１２０】
続いて、基板９３から第３機種用基板１７０を作製する。具体的には、ＵＳＢコネクタ４１及びＬＡＮコネクタ４２が実装される部分がコネクタ用開口１４１，１４２に合致するように、領域５９を基板９３から切除する（図１８参照）。機器本体１０の前面側となる端縁には、捨て板５６が設けられているので、捨て板５６を基板９３から切除する。そして、基板９３に対して所定の導体パターンを形成する。この導体パターンを形成する方法としては、例えばアディティブ法やサブトラクティブ法が使用される。ここで、アディティブ法は、絶縁基板上に選択的にめっきなどによって導体パターンを形成する方法である。サブトラクティブ法は、金属張基板上の導体はくの不要部分をエッチングなどにより選択的に除去して、導体パターンを形成する方法である。
【０１２１】
続いて、基板設置領域３０に固定するためのボルトが挿通される穴５７を形成する。さらに、ＵＳＢコネクタ４０が実装される一部領域６７と基板本体６６との間に切り欠き９０，９１を入れる。これにより、基板本体６６と一部領域６７とが接続保持部６８のみによって接続された状態となる。接続保持部６８には、ドリル等により所定間隔で穴をあけておくことにより、一部領域６７が基板本体６６から容易に分割可能となる。このような一連の作業を行うことにより、第３の機種に対応した回路が実装される前のプリント配線板である第３機種用基板１７０が作製される。なお、基板９３から回路実装前の第３機種用基板１７０を作製する順序は、上記説明したものに限定されるものではない。例えば、一部領域６７を基板本体６６から分割可能に形成した後に穴５７をあけるようにしてもよい。
【０１２２】
《第２工程》
複数の機種に共通して設けられるＵＳＢコネクタ４０，４１（一対の共通コネクタの一例）の一方を一部領域６７に実装するとともに他方を第３機種用基板１７０における機器本体１０の背面側の縁部７７に実装する（図１８参照）。具体的には、図１８及び図１４に示されるように、ＵＳＢコネクタ４０を一部領域６７に実装し、ＵＳＢコネクタ４１を縁部７７に実装する。この縁部７７の位置は、第３機種用基板１７０が基板設置領域３０に設置された際に、実装されているＵＳＢコネクタ４１がコネクタ用開口１４１と合致するように予め設定されている。これにより、前面側のＵＳＢコネクタ４０と背面側のＵＳＢコネクタ４１とが第３機種用基板１７０の略対角位置に実装される。
【０１２３】
さらに、一部の機種（本実施形態においては、第１の機種及び第２の機種）のみに設けられるＬＡＮコネクタ４２（選択コネクタの一例）を第３機種用基板１７０のコネクタ用開口１４２に合致する位置に実装する。換言すれば、第３機種用基板１７０が基板設置領域３０に設置された際に、ＬＡＮコネクタ４２がコネクタ用開口１４２（図１５参照）に合致するように、ＬＡＮコネクタ４２を実装する。詳述しないが、この第２工程では、コネクタ４０〜４２に加えて、第３の機種に対応した回路（図１４参照）が第３機種用基板１７０に実装される。
【０１２４】
《第３工程》
一部領域６７を基板本体６６から分割させて分割回路基板３７とするとともに、基板本体６６と分割回路基板３７とをフラットケーブル５１（ケーブルの一例）を介して通信可能に接続する。上記第２工程において、分割回路基板３７には、ＵＳＢコネクタ４０と接続されたコネクタ５３が実装され、基板本体６６にはコネクタ５４が実装されている（図１６参照）。基板本体６６を固定した状態で、一部領域６７に力を加えて接続保持部６８を破断させる。これにより、分割回路基板３７が得られる。分割回路基板３７のＵＳＢコネクタ４０は、基板本体６６と電気的に接続されていない。また、ＵＳＢ回路３３は、基板本体６６に設けられている。分割回路基板３７のコネクタ５３と、基板本体６６のコネクタ５４とがフラットケーブル５１によって接続されることにより、ＵＳＢコネクタ４０が基板本体６６と電気的に接続される。換言すれば、分割回路基板３７と基板本体６６とが通信可能に接続される。
【０１２５】
《第４工程》
基板本体６６に実装されたＵＳＢコネクタ４１及びＬＡＮコネクタ４２が各コネクタ用開口１４１，１４２に合致するように、基板本体６６を基板設置領域３０に設置する。すなわち、図１６に示されるように、ＵＳＢコネクタ４１がコネクタ用開口１４１に合致すると共に、ＬＡＮコネクタ４２がコネクタ用開口１４２に合致するように基板本体６６を基板設置領域３０に設置する。
【０１２６】
さらに、分割回路基板３７をそのＵＳＢコネクタ４０が機器本体１０の前面側のコネクタ用開口１４０に合致するように基板設置領域３０に設置する（図１６参照）。このように、ＵＳＢコネクタ４０が実装された一部領域６７を基板本体６６から分割して分割回路基板３７として設置することにより、ＵＳＢコネクタ４０をコネクタ用開口１４０に合致させることができる。
【０１２７】
したがって、複数の機種のうちの一部の機種に設けられるＬＡＮコネクタ４２が追加された複合機１を製造する場合に、ＵＳＢコネクタ４０，４１のレイアウトを変更することなく第３機種の複合機１を製造することができる。また、ＵＳＢコネクタ４０の設置が変更可能であるため、第３機種用基板１７０のサイズ（ここでは、幅方向の長さ）を大きくすることなくＵＳＢコネクタ４０をコネクタ用開口１４０に合致させることができる。これにより、ワークサイズ（基板９３の大きさ）を極力小さくして基板材料９２から得られる第３機種用基板１７０の取り数を多くすることができる。結果として、第３機種の複合機１を製造する際のコストを低減させることが可能である。
【０１２８】
基板設置領域３０には、第１の機種と第２の機種にそれぞれ対応する第１機種用基板１５０又は第２機種用基板１６０が選択的に設置可能である。第１機種用基板１５０には、ＵＳＢコネクタ４０、ＵＳＢコネクタ４１，及びＬＡＮコネクタ４２の３つのコネクタが実装されている。基板設置領域３０に第１機種用基板１５０が設置される場合、第１機種用基板１５０に実装されたコネクタ４０〜４２は、それぞれコネクタ用開口１４０〜１４２を介して前面側及び背面側に露出される。
【０１２９】
第２機種用基板１６０には、ＵＳＢコネクタ４０及びＵＳＢコネクタ４１の２つのコネクタが実装されている。基板設置領域３０に第２機種用基板１６０が設置される場合、第２機種用基板１６０に実装されたコネクタ４０，４１は、それぞれコネクタ用開口１４０，１４１を介して前面側及び背面側に露出される。
【０１３０】
このように、第１機種用基板１５０と第２機種用基板１６０とのいずれの回路基板が基板設置領域３０に設置されたとしても、ＵＳＢコネクタ４０，４１は、コネクタ用開口１４０，１４１に合致する。したがって、複合機１は、選択コネクタ（ここでは、ＬＡＮコネクタ４２）の有無に関わらず、第１機種と第２機種で共通する共通コネクタ（ここでは、ＵＳＢコネクタ４０，４１）のレイアウトを変更することなく、２機種の回路基板を設置可能である。
【０１３１】
また、第１機種用基板１５０と第２機種用基板１６０とは、カードスロット９６，９７を除いて、共通領域に設置される回路及びコネクタが、基板設置領域において略同じ位置に配置されるように実装されている。そのため、複合機１を第１の機種として製造すべく第１機種用基板１５０を設置する場合と、複合機１を第２の機種として製造すべく第２機種用基板１６０を設置する場合とで、コネクタパネル１１を除く大部分の部品を共通化することができる。また、第２機種用基板１６０の形状を長方形とし、且つ、サイズを小さくすることができ、基板どりが効率化される。
【０１３２】
なお、上記作用効果では、本発明における第１回路基板、第２回路基板として、第１機種用基板１５０又は第２機種用基板１６０が選択的に設置される場合について説明したが、本発明における第２回路基板が第２機種用基板１６０ではなく第３機種用基板１７０である場合にも上記と同様のことがいえる。第３機種用基板１７０には、ＵＳＢコネクタ４０、ＵＳＢコネクタ４１，及びＬＡＮコネクタ４２の３つのコネクタが実装されている。第３機種用基板１７０が設置される場合、ＵＳＢコネクタ４１及びＬＡＮコネクタ４２が各コネクタ用開口１４１，１４２に合致するように、基板本体６６が基板設置領域３０に設置される。この状態で、ＵＳＢコネクタ４１及びＬＡＮコネクタ４２は、それぞれコネクタ用開口１４１，１４２を介して機器本体１０の背面側に露出される。さらに、分割回路基板３７が、実装されているＵＳＢコネクタ４０がコネクタ用開口１４０に合致するように基板設置領域３０に設置される。この状態で、ＵＳＢコネクタ４０は、コネクタ用開口１４０を介して機器本体１０の前面側に露出される。すなわち、第１機種用基板１５０と同様に、３つのコネクタ４０〜４２が機器本体１０の前面側及び背面側のコネクタ用開口１４０〜１４２を介して露出される。
【０１３３】
なお、第１機種用基板１５０、第２機種用基板１６０、及び、第３機種用基板１７０の設置態様は、上記実施形態で説明したものに限定されるものではない。すなわち、本実施形態においては、上記３機種の基板のうちのいずれかの基板が、機器本体１０の幅方向を長手方向として基板設置領域３０に水平に設置される場合について説明したが、回路実装面が垂直となるように設置される形態でもよい。
【０１３４】
図１９は、縦置きされた第１機種用基板１８１（第１回路基板の一例）を示す概略斜視図である。図２０は、基板設置領域１３０に縦置きされた第１機種用基板１８１を示す概略斜視図である。図２１は、基板設置領域１３０に縦置きされた第２機種用基板１８２（第２回路基板の一例）を示す概略斜視図である。図２２は、基板設置領域１３０に縦置きされた第３機種用基板１８３（第２回路基板の一例）を示す概略斜視図である。
【０１３５】
図１９〜図２２に示されるように、例えば分離板１１１（図７参照）の上段平坦部１１２及び下段平坦部１１３の側方に、これらの平坦部に対して垂直となるように基板設置領域１３０を設けてもよい。この基板設置領域１３０に、第１機種用基板１８１、第２機種用基板１８２、及び、第３機種用基板１８３のうちのいずれかの回路基板が選択的に設置される。ここで、第１機種用基板１８１は、実装される回路の位置関係や基板の寸法を除き、上記第１機種用基板１５０と同様に構成されたものである。第２機種用基板１８２は、実装される回路の位置関係や基板の寸法を除き、上記第２機種用基板１６０と同様に構成されたものである。第３機種用基板１８３は、実装される回路の位置関係や基板の寸法を除き、上記第３機種用基板１７０と同様に構成されたものである。
【０１３６】
図１９に示されるように、機器本体１０の前面側の右端部には、上から順にコネクタ用開口１６２、スロット用開口１６６、スロット用開口１６７が形成されている。また、機器本体１０の背面側の右端部には、上から順にコネクタ用開口１６３、コネクタ用開口１６４が形成されている。コネクタ用開口１６２は、ＵＳＢコネクタ４０を露出させるための開口である。スロット用開口１６６は、カードスロット９６を露出させるための開口である。スロット用開口１６７は、カードスロット９７を露出させるための開口である。コネクタ用開口１６３は、ＵＳＢメモリ４１を露出させるための開口である。コネクタ用開口１６４は、ＬＡＮコネクタ４２を露出させるための開口である。これらの開口のうち、スロット用開口１６６，１６７の位置は、基板１８１〜１８３のうちのいずれの回路基板が基板設置領域１３０に設置されるかによって適宜変更される。
【０１３７】
図１９及び図２０に示されるように、第１機種用基板１８１が基板設置領域１３０に設置されることにより、ＵＳＢコネクタ４０、カードスロット９６、カードスロット９７が機器本体１０の前面側に露出される。その状態で、ＵＳＢコネクタ４１、ＬＡＮコネクタ４２が、機器本体１０の背面側に露出される。
【０１３８】
図１９及び図２１に示されるように、第２機種用基板１８２が基板設置領域１３０に設置されることにより、ＵＳＢコネクタ４０、カードスロット９６、カードスロット９７が機器本体１０の前面側に露出される。その状態で、ＵＳＢコネクタ４１が、機器本体１０の背面側に露出される。
【０１３９】
図１９及び図２２に示されるように、第３機種用基板１８３の基板本体１７６（回路基板本体）が基板設置領域１３０に設置されることにより、カードスロット９６，９７が機器本体１０の前面側に露出される。その状態で、ＵＳＢコネクタ４１、ＬＡＮコネクタ４２が、機器本体１０の背面側に露出される。第３機種用基板１８３の分割回路基板１７７は、基板本体１７６に対して若干上方へずらされて基板設置領域１３０に設置される。これにより、ＵＳＢコネクタ４０が機器本体１０の前面側に形成されたコネクタ用開口１４０から露出される。なお、基板本体１７６と分割回路基板１７７とは、フラットケーブル５１により通信可能に接続される。
【０１４０】
なお、本発明は、上記実施形態や変形例の形態に限定されるものではなく、以下の形態であってもよい。すなわち、本実施形態においては、機器本体１０の前面側及び背面側の各コネクタ用開口に合致するように、共通コネクタが対角位置に実装される場合について説明したが、共通コネクタの位置関係は対角位置に限定されるものではない。ただし、共通コネクタが本実施形態のように同一通信規格のＵＳＢコネクタ４０，４１である場合、互いに干渉することを防止するために対角位置に実装されることが好ましい。
【０１４１】
また、本実施形態においては、共通コネクタがＵＳＢコネクタ４０，４１であり、選択コネクタがＬＡＮコネクタ４２である形態について説明したが、共通コネクタと選択コネクタはこれらに限定されるものではない。例えば、共通コネクタがＬＡＮコネクタであり、選択コネクタがＵＳＢコネクタであってもよい。また、共通コネクタや選択コネクタは、例えばＩＥＥＥ１３９４規格のケーブルが接続されるコネクタであってもよい。
【０１４２】
また、共通機能及び選択機能は任意に設定されるものであり、本実施形態において説明されたものに限定されるものではない。例えば、本実施形態においては共通機能に設定されているスキャナ機能を選択機能に設定してもよい。また、本実施形態においては、各基板にカードスロット９６，９７が実装される形態について説明したが、カードスロット９６，９７を実装しない形態であってもよい。
【図面の簡単な説明】
【０１４３】
【図１】図１は、本発明の実施形態に係る複合機１の外観構成を示す斜視図である。
【図２】図２は、複合機１の内部構成を示す断面図である。
【図３】図３は、第１機種の複合機１が備える子機１２の斜視図である。
【図４】図４は、コネクタパネル１１の部分拡大図である。
【図５】図５は、プリンタ部２の筐体１５の分解斜視図である。
【図６】図６は、複合機１を構成する各構成要素が保持されたベースフレーム１０１の構成を示す斜視図である。
【図７】図７は、ベースフレーム１０１の分離板１１１及び第１機種用基板１５０の位置を示す図であり、（Ａ）はベースフレーム１０１の斜視図、（Ｂ）はベースフレーム１０１及び第１機種用基板１５０の斜視図を模式化した図、（Ｃ）は（Ａ）及び（Ｂ）のＤ−Ｄ切断線の模式断面図である。
【図８】図８は、第２ＵＳＢコネクタ４１が露出されるコネクタ用開口１４１、及びＬＡＮコネクタ４２が露出されるコネクタ用開口１４２の位置を示す斜視図である。
【図９】図９は、基板設置領域３０の位置を示す概略図である。
【図１０】図１０は、第１機種用基板１５０を示す概略図である。
【図１１】図１１は、基板設置領域３０に設置された第１機種用基板１５０を示す概略図である。
【図１２】図１２は、第２機種用基板１６０を示す概略図である。
【図１３】図１３は、基板設置領域３０に設置された第２機種用基板１６０を示す概略図である。
【図１４】図１４は、第３機種用基板１７０を示す概略図である。
【図１５】図１５は、基板設置領域３０に設置された第３機種用基板１７０を示す概略図であり、分割回路基板３７が分割されていない状態を示す図である。
【図１６】図１６は、基板設置領域３０に設置された第３機種用基板１７０を示す概略図であり、分割回路基板３７が分割された状態を示す図である。
【図１７】図１７は、基板材料９２をワークサイズの基板９３に分割する作業について説明するための図である。
【図１８】図１８は、基板９３から作製されたプリント配線板９４を示す概略図である。
【図１９】図１９は、縦置きされた第１機種用基板１８１を示す概略斜視図である。
【図２０】図２０は、基板設置領域１３０に縦置きされた第１機種用基板１８１を示す概略斜視図である。
【図２１】図２１は、基板設置領域１３０に縦置きされた第２機種用基板１８２を示す概略斜視図である。
【図２２】図２２は、基板設置領域１３０に縦置きされた第３機種用基板１８３を示す概略斜視図である。
【図２３】図２３は、特許文献１に開示された電子機器に設置されている回路基板２０１を示す概略図である。
【符号の説明】
【０１４４】
１・・・複合機（電子機器）
１０・・・機器本体
１８，１９，１６６，１６７・・・スロット用開口
２０・・・給紙トレイ（媒体保持部）
２１・・・排紙トレイ（媒体保持部）
３０，１３０・・・基板設置領域
３７，１７７・・・分割回路基板
４０・・・ＵＳＢコネクタ（共通コネクタ、第１ＵＳＢコネクタ）
４１・・・ＵＳＢコネクタ（共通コネクタ、第２ＵＳＢコネクタ）
４２・・・ＬＡＮコネクタ（選択コネクタ）
５１・・・フラットケーブル（ケーブル）
６６，１７６・・・基板本体（回路基板本体）
６７・・・一部領域
９６，９７・・・カードスロット
１４０，１４１，１４２・・・コネクタ用開口
１５０，１８１・・・第１機種用基板（第１回路基板の一例）
１６０，１８２・・・第２機種用基板（第２回路基板の一例）
１７０，１８３・・・第３機種用基板（第２回路基板の一例）
【図１】
0004835256.tif 000002
【図２】
0004835256.tif 000003
【図３】
0004835256.tif 000004
【図４】
0004835256.tif 000005
【図５】
0004835256.tif 000006
【図６】
0004835256.tif 000007
【図７】
0004835256.tif 000008
【図８】
0004835256.tif 000009
【図９】
0004835256.tif 000010
【図１０】
0004835256.tif 000011
【図１１】
0004835256.tif 000012
【図１２】
0004835256.tif 000013
【図１３】
0004835256.tif 000014
【図１４】
0004835256.tif 000015
【図１５】
0004835256.tif 000016
【図１６】
0004835256.tif 000017
【図１７】
0004835256.tif 000018
【図１８】
0004835256.tif 000019
【図１９】
0004835256.tif 000020
【図２０】
0004835256.tif 000021
【図２１】
0004835256.tif 000022
【図２２】
0004835256.tif 000023
【図２３】
0004835256.tif 000024